(57)【要約】【課題】本発明は、屋内配置用のワイヤレス通信ネットワーク、特に高速変動するマルチパス伝搬環境によって、見通し内通信が生じる、屋内配置用のワイヤレス通信ネットワークに関する。【解決手段】本発明は、移動端末と通信するワイヤレス通信ネットワークを提供する。このネットワークは、それぞれが移動端末と通信する手段を有する多数のリピータポイントと、リピータポイントと通信する手段を有するアクセスポイントとを備え、このリピータポイントは、端末とアクセスポイントとの間で信号を中継する手段と、端末により送信され、リピータポイントを介してアクセスポイントにより受信される信号の品質量を決定する手段と、アクセスポイントにより受信された端末信号の前記品質量に基づいて、１つ以上のリピータポイントを選択してアクセスポイントから端末までの送信信号を中継する手段とを有する。【選択図】      図３
2004254308.tif 000002
【特許請求の範囲】
【請求項１】
互いに重なり合うカバレージエリアを有し、それぞれが移動端末とワイヤレスに通信する手段を具備する多数のリピータポイントと、
前記リピータポイントと通信する手段を含むアクセスポイントと、
前記リピータポイントを介して、前記端末により送信され、前記アクセスポイントにより受信された信号の品質量を決定する手段と、
前記アクセスポイントによって受信された端末信号の前記品質量に基づいて、前記アクセスポイントから前記端末まで送信信号を中継する１つ以上のリピータポイントを選択する手段とを具備し、
前記リピータポイントは、前記端末と前記アクセスポイントとの間で信号を中継する手段をさらに含む、移動端末と通信するためのワイヤレス通信ネットワーク。
【請求項２】
前記リピータポイントと通信する前記アクセスポイント手段は、前記アクセスポイントと前記リピータポイントとの間にワイヤレスリンクを含み、指向性アンテナを有する請求項１記載のネットワーク。
【請求項３】
前記リピータポイントと通信する前記アクセスポイント手段は、前記アクセスポイントと前記リピータポイントとの間のケーブルリンクを含む請求項１記載のネットワーク。
【請求項４】
前記選択手段は、所定のしきい値より高い受信信号の品質量を持つ１つ以上のリピータポイントを選択し、前記しきい値は、１つ以上のリピータポイントを介して前記端末と前記アクセスポイントとの間の見通し内信号経路に対応している、請求項１ないし３のいずれか１項記載のネットワーク。
【請求項５】
前記アクセスポイントは、前記移動端末と直接通信する手段をさらに有し、前記選択手段は、前記リピータポイントと前記端末へ送信する直接アクセスポイント通信手段との間で選択するようさらに構成されている請求項１ないし４のいずれか１項記載のネットワーク。
【請求項６】
リピータポイントを介して受信した端末信号の信号品質量は、前記リピータポイントと前記端末との間、および前記リピータポイントと前記アクセスポイントとの間の各合成ワイヤレスリンクの所定の品質に基づく請求項１ないし５のいずれか１項記載のネットワーク。
【請求項７】
リピータポイントを介して受信された端末信号の信号品質量は、前記受信信号の所定の品質に基づく請求項１ないし５のいずれか１項記載のネットワーク。
【請求項８】
前記アクセスポイントが、各リピータポイントに対して見通し方向（ＬＯＳ）経路を有し、前記アクセスポイントおよび前記リピータポイントが、それぞれ指向性アンテナを具備する請求項１ないし７のいずれか１項記載のネットワーク。
【請求項９】
前記アクセスおよび前記リピータポイントは、３Ｄ空間でピラミッドを形成するよう配置される請求項１ないし８のいずれか１項記載のネットワーク。
【請求項１０】
前記移動端末と通信する多数のリピータを具備するワイヤレス通信ネットワークのためのアクセスポイントであって、
前記端末により送信され、前記リピータポイントを介して前記アクセスポイントにより受信される信号の品質量を決定する手段と、
前記アクセスポイントが受信する端末信号の前記品質量に基づいて、１つ以上のリピータポイントを選択してアクセスポイントから端末へ送信信号を中継する手段とを具備するアクセスポイント。
【請求項１１】
前記選択手段は所定のしきい値よりも高い受信信号の品質量を有する１つ以上のリピータポイントを選択し、前記しきい値は、１つ以上のリピータポイントを介して端末とアクセスポイントとの間の見通し内信号経路に対応する、請求項１０記載のアクセスポイント。
【請求項１２】
前記移動端末と直接通信する手段をさらに含み、前記選択手段は前記リピータポイントと前記端末に送信するための直接アクセスポイント通信手段との間で選択するようさらに構成された請求項１０または請求項１１に記載のアクセスポイント。
【請求項１３】
前記リピータポイントを介して受信された端末信号の信号品質量は、前記リピータポイントと前記端末間、および前記リピータポイントと前記アクセスポイント間の各合成ワイヤレスリンクの所定の品質に基づく請求項１０ないし１２のいずれか１項記載のアクセスポイント。
【請求項１４】
前記リピータポイントを介して受信された端末信号の信号品質量は、前記受信信号の所定の品質に基づく請求項１０ないし１２のいずれか１項記載のアクセスポイント。
【請求項１５】
使用時に前記リピータポイントに向けられる指向性アンテナをさらに含む請求項１０ないし１４のいずれか１項記載のアクセスポイント。
【請求項１６】
前記移動端末と通信するためのアクセスポイントと多数のリピータポイントとを含むワイヤレス通信ネットワークのためのリピータポイントであって、
前記移動端末と通信する手段および前記端末と前記アクセスポイントとの間で信号を中継するためにアクセスポイントと通信する手段と、
前記端末により送信され、前記リピータポイントにより受信される信号の品質量を決定する手段および前記アクセスポイントへ前記品質量を転送する手段とを具備するリピータポイント。
【発明の詳細な説明】
【技術分野】
【０００１】
本発明は、屋内配置用のワイヤレス通信ネットワーク特に、高速変動するマルチパス伝搬環境によって見通し通信が生じる屋内配置用のワイヤレス通信ネットワークに関する。
【背景技術】
【０００２】
屋内環境は、ワイヤレス通信ネットワークの配置について多くの問題を提起している。屋内環境においては、物の配置、部屋の壁や天井のせいで、これらの表面への信号の反射がワイヤレス信号に対する複雑なマルチパス伝搬環境を呈している。人がこれらの環境内で動き回るので、このことも伝搬環境に対して極めて動的な形態で影響を与え、適切な信号受信に問題を生じさせている。
【０００３】
この課題を解決する１つの方法は、本来の送信信号の異なる信号成分を受信するため空間的に離して配置したダイバーシチアンテナを使用することである。最適な信号コンポーネントを選択するか、各アンテナからの信号成分の幾つかを合成するかのいずれかによって受信信号の品質を向上させられる。しかしながら信号の合成は簡単ではなく、各アンテナへの不均一なケーブル長による遅延広がりにより複雑化する。部屋の中のような極めて動的な伝搬環境では、伝搬環境の変化状態に基づいてコンスタントに更新されるため、選択または合成処理は、高い処理負荷がかかる。そのようなダイバーシティアンテナ法は、欧州特許第８６９６３０号および“屋内ワイヤレス通信システムにおいて分配されたアンテナの性能利点”ＩＥＥＥＥ移動体技術協会、第３版、１５２２−１５２６ページ、１９９４年６月に示されている。
【０００４】
この種の環境の課題を解決する別の方法は、互いの間で送信信号を中継するレピータとして端末とアクセスポイントアンテナを使用することによって特定の端末とアクセスポイントアンテナとの間に見通し内（ＬＯＳ）信号伝搬経路を設けることである。このようなシステムは“バーチャルアンテナアレイのためのリンク容量分析”、Mischa Dohler, Jose Dominguez, Hamid Aghvami著，ＩＥＥＥＥ移動体技術協会、２００２年秋、ＩＥＥＥＥ第５６号、第１巻、４４０−４４３ページ、２００２年、に記載されている。しかしながら、この種の技術は近くに中継機能を有する端末が存在するか否かに大きく依存しており、しかも移動端末はネットワークの出入りが激しいので、リンク品質が常に保証されるとは限らない。
【発明の開示】
【課題を解決するための手段】
【０００５】
本発明は屋内環境において移動端末と通信するためのワイヤレス通信ネットワークを提供する。各ネットワークは、移動端末と通信する手段を有する複数のリピータポイントとアクセスポイントとを備え、アクセスポイントとリピータポイントとは互いに通信する手段をさらに有する。リピータポイントは、端末とアクセスポイントとの間で通信を中継する手段をさらに有する。可能ならば、アクセスポイントとリピータポイントは互いに見通し内通信となるように設置され、高度指向性または狭ビームアンテナを各々異なる方向に向ける。または、アクセスポイントとリピータポイントとの間でケーブルが用いられてもよい。これは、例えばラジオオーバファイバ（ＲｏＦ）または他の低損失ケーブルが用いられる。これにより、より信頼性のあるリンクが提供され、指向性アンテナの必要性はなくなる。
【０００６】
各リピータポイントは、端末により受信された信号をアクセスポイントへ中継するよう配置される。アクセスポイントは移動端末から直接信号を受信する手段も備えているのが好ましい。したがってアクセスポイントは、多数のルートを介して端末から実質的に同時に同一の通信信号を受信する、すなわちそれはアクセスポイントへ直接に、および種々のリピータポイントを介して受信される。このようにネットワークは、最大ネットワークカバーレッジエリア内の多数の異なるポイントから移動端末とワイヤレスに通信するために、カバーレッジエリアが重なり合う多数のリピータを有する。これが、人体の場合にミリメートル波長で約１８ｄＢ以上のオーダになりうる短期間シャドーイングの課題を緩和する。好ましくは、リピータポイントのカバーレッジエリアは実質的に相互配置される方がよい。
【０００７】
アクセスポイントは、移動端末へ信号を送信するために、アクセスポイントと移動端末との間の信号経路のうちの１つを選択する手段も備える。アクセスポイントによって端末に送信された信号は、その後選択された経路を通って送信され、アクセスポイントと端末との間の最適な通信を確保する。アクセスポイントによって受信された信号の品質量(quality measure)は、信号を移動端末へ送り返すためにどの経路を使用すべきかを決定するために用いられる。好ましくは、アクセスポイントから端末へ信号を送信するために、ＬＯＳ信号経路が使用される。
【０００８】
アクセスポイントは多数のルートを通って端末により送信された信号を同時に受信しているので、最適ルートを選択し、これにしたがってその送信経路を切り換えることができる。これは、先行技術で行われているように端末とリピータポイント（またはアクセスポイント）のうちの１つとの間でハンドオーバーを必要しないで行える。このように、適切な送信経路の選択が大変速やかであり、先行技術の方法と比べて少ない処理または制御信号オーバーヘッドしか必要としない。したがって、これは前述のように急激に変化する伝搬環境を持つ屋内環境に大変適している。よって、移動端末が屋内を移動し、１つのリピータポイントがブロックされた見通し方向経路を有するとき、アクセスポイントは別のリピータポイントを通って、あるいはアクセスポイントに対して直接に、別のアクセスポイントへ切り換え、移動端末とアクセスポイントとの間の高品質の送信リンクを確保することができる。
【０００９】
特に、本発明の１つの側面では、移動端末と通信するためのワイヤレス通信ネットワークが提供される。このネットワークは、それぞれが移動端末と通信する手段を備えたアクセスポイントと多数のリピータポイントとを備え、前記リピータポイントは、前記アクセスポイントと通信する手段と、端末から各リピータポイントによって受信された信号がほぼ同時に前記アクセスポイントへ送信されるように、前記端末により受信された通信を前記アクセスポイントへ中継する手段とをさらに備え、前記アクセスポイントは、各リピータポイントからの送信を受信する手段と、前記リピータのうちの１つ以上を選択する手段と、前記選択されたリピータポイントを介して前記端末に送信する手段とをさらに備える。
【００１０】
好ましくは、リピータポイントとアクセスポイントとは、各リピータポイントとアクセスポイントとの間に見通し方向経路が存するように部屋内に配置される。より好ましくは、リピータポイントは各リピータポイント相互間に見通し方向経路が存するよう配置される。代替的にＲｏＦのようなケーブリングが使用されてもよい。
【００１１】
好ましくは、アクセスポイントによるリピータポイントの選択は、２つのリンクの信号対雑音比のような所定の品質に基づく。１つのリンクはリピータポイントと移動端末間であり、もう１つのリンクはリピータポイントとアクセスポイント間である。代替的に選択はアクセスポイントにより受信された移動端末送信の所定の品質に基づいていてもよい。
【００１２】
好ましくは、ネットワークは少なくとも４つのリピータポイントを備える。好ましくは、アクセスポイントは天井に配置され、リピータポイントは部屋の四壁に備えられている。好ましくは、リピータポイントはほぼ同じ高さおよび互いにほぼ等距離に配置されている。これによりリピータポイントとアクセスポイントは３Ｄ空間、好ましくはピラミッドを形成する。これにより、端末に対して多数の重なり合うカバーレッジ領域が設けられ、対応リピータまたはアクセスポイントの信号強度、または端末の位置における他の測定値にしたがって使用される。
【００１３】
好ましくは、アクセスポイントとリピータポイント、および移動端末との間の信号は、ミリメートル波長内、例えば６０ＧＨｚに存する。リピータ端末リンク上の通信の周波数は、アクセスポイントリンクに対してリピータ上で使用される周波数と同一または異なっていてもよい。干渉を減らすために、端末（またはアクセスポイントリンクに対するリピータ）との通信は、周波数分割（ＦＤＤ）または時分割（ＴＤＤ）であってよい。
【００１４】
好ましくは、リピータポイント（およびアクセスポイント）の送信電力は相互チャネル干渉を減らすために制御される。送信電力の低減量は、当業者によって明らかなように、部屋の形状や屋内の物の配置などによって左右される。
【００１５】
他の局面では、本発明は移動端末と通信する多数のリピータを備えるワイヤレス通信ネットワークのためのアクセスポイントを提供する。このアクセスポイントは、各リピータポイントからの送信を受信する手段と、前記リピータの１つを選択する手段と、前記選択されたリピータポイントを介して前記端末へ送信する手段とを備える。
【００１６】
他の局面では、本発明は移動端末と通信するアクセスポイントと多数のリピータポイントとを備えるワイヤレス通信ネットワークのためのリピータポイントを提供する。このリピータポイントは、移動端末と通信する手段と、アクセスポイントと通信する手段および前記端末により受信された信号を前記アクセスポイントへ中継する手段と、アクセスポイントからの選択されたリピータポイントを受信し、適宜、端末により送信あるいは非送信とする手段とを備える。
【００１７】
さらに代替的には、ネットワークは第１のリピータとアクセスポイントとの間の１つの“リンク”内に２つ以上のリピータを備えていてもよい。
【００１８】
さらに他の局面では、本発明は移動端末と通信するワイヤレス通信ネットワークを提供する。このネットワークは、それぞれが移動端末と通信する手段を備えた多数のリピータポイントと、リピータポイントと通信する手段を備えたアクセスポイントと、端末とアクセスポイントとの間で信号を中継する手段をさらに備えたリピータポイントと、端末により送信され、リピータポイントを介してアクセスポイントにより受信された信号の品質量を決定する手段と、アクセスポイントにより受信された端末信号の前記品質量に基づいて、１つ以上のリピータポイントを選択して、アクセスポイントから端末へ送信信号を中継する手段とを備える。
【００１９】
好ましくは、選択手段は所定のしきい値より高い受信信号の品質量を有する１つ以上のリピータポイントを選択し、このしきい値は１つ以上のリピータポイントを介する端末とアクセスポイントとの間の見通し方向信号経路に対応する。
【００２０】
好ましくは、アクセスポイントおよびリピータポイントは３Ｄ空間でピラミッドを形成するよう配置される。
【００２１】
さらに他の局面では、本発明は移動端末と通信する多数のリピータを備えたワイヤレス通信ネットワークのためのアクセスポイントを提供する。このアクセスポイントは、端末により送信され、リピータポイントを介してアクセスポイントにより受信された信号の品質量を決定する手段と、アクセスポイントにより受信された端末信号の前記品質量に基づいて、１つ以上のリピータポイントを選択してアクセスポイントから端末へ送信信号を中継する手段とを備える。
【００２２】
好ましくは、選択手段は所定のしきい値より高い受信信号の品質量を有する１つ以上のリピータポイントを選択し、このしきい値は１つ以上のリピータポイントを介して端末とアクセスポイントとの間の見通し方向信号経路に対応する。
【００２３】
好ましくは、アクセスポイントが移動端末と直接通信する手段をさらに備え、選択手段は、前記リピータポイントと前記端末へ送信するダイレクトアクセスポイント通信手段とを選択するようさらに構成されている。
【００２４】
さらに他の局面では、本発明は移動端末と通信するためのアクセスポイントと多数のリピータポイントとを備えたワイヤレス通信ネットワークのためのリピータポイントを提供する。このリピータポイントは、前記端末と前記アクセスポイントとの間で信号を中継するために、移動端末と通信する手段およびアクセスポイントと通信する手段と、端末により送信され、リピータポイントにより受信された信号の品質量を決定する手段と、前記アクセスポイントへ前記品質量を転送する手段とを備える。
【発明を実施するための最良の形態】
【００２５】
本発明の実施形態は、例示の目的のみによって、限定を意図することなく以下の図面を参照して詳細に説明される。
【００２６】
図１を参照すると、ネットワークは図示のようにさまざまなオフィス設備だけでなく壁や天井を有する部屋１内に配置されている。設備のさまざまなアイテムにはワイヤレス端末３が含まれ、部屋１内を移動することができる。部屋１には定期的に人４が存在し、人４は、特にワイヤレス信号および例えばミリメートル周波数帯における高周波数に対する貫通伝搬障壁としてはたらく。ネットワーク２は部屋１内で分散し、天井に埋設または天井壁上に実装されたアクセスポイント５、および部屋の壁に埋設または壁上に実装された４つのリピータポイント６Ｗ、６Ｎ、６Ｅ、および６Ｓを備えている。アクセスポイント５およびリピータポイント６は部屋１周辺で一意的に分散するのが好ましいが、実際の分散は部屋１のパラメータだけでなく任意の静止しているオフィス設備または他のアイテムの影響を受ける。各リピータポイントおよびアクセスポイントは移動ワイヤレス端末３と通信することができるが、任意の特定の時間における各ポイントのこの端末３との通信能力は、部屋内の環境の変化に左右される。特に高周波数では、移動端末３とネットワーク２のポイント（５、６）のうちの１つとの間で見通し内（ＬＯＳ）信号伝搬を有することが好ましい。
【００２７】
破線矢印７は移動端末３とネットワークポイント５、６との間のＬＯＳ経路を示し、この経路は移動体４によりブロックされている。実線矢印８は移動端末３とネットワーク２のポイントとの間のクリアなＬＯＳ経路を示す。この特定の例で示すように、ネットワーク上の移動端末とリピータポイント６Ｗおよび６Ｓとの間には２つのＬＯＳ経路が存在する。
【００２８】
リピータポイント６はアクセスポイント５に対するＬＯＳ経路を持つよう配置されている。したがってこの例では、移動端末３とＬＯＳ経路を持つアクセスポイント５との間には２つのルートが存在する。人４が部屋内を移動するので、ＬＯＳ経路の分散が変化することが分かる。このことにより、ネットワーク２は、端末３とアクセスポイントとの間で直接的に、あるいはリピータポイント６のうちの１つを経由して、移動端末３とアクセスポイント５との間の最適ルートを選択するよう構成されている。同様に、人４により携帯される移動端末は、人の位置だけでなく部屋１内の他のブロックする物の位置にしたがって、最も適したルートを経由してアクセスポイント５と通信する。したがって、部屋が人および／または他の物でいっぱいでも、かかる環境内の移動端末３はかなりの確率で直接またはリピータポイント６の１つを経由してアクセスポイントへのＬＯＳルートを得ることができる。これは、部屋１内の人４の移動とは全く無関係である。
【００２９】
図２ａは、ネットワーク２のアクセスポイントを部屋の天井に配置し、４つのリピータポイント６を有する屋内環境すなわち部屋１のピラミッド構造を示す。リピータポイント６はそれぞれ部屋１の各壁に配置されている。リピータポイント６はアクセスポイント５に対して向けられ、好ましくは相互に向けられたＬＯＳ信号経路を持つよう配置されている。好ましくは、リピータポイント６は互いに対して等距離に配置され、壁からほぼ同じ高さで四壁を貫く四角形、すなわち平面を形成する。アクセスポイント５とともに、ネットワーク２は部屋１内の移動端末が通信可能なピラミッド型に配置されたワイヤレスポイント５、６を備えている。サイズ、形状、および移動体４の予想される密度に応じてさらなるリピータポイント６が部屋１に追加されてもよい。部屋１の構成によっては、４より少ない数のリピータポイント６が採用されてもよい。例えば短い廊下では、１つまたは２つのリピータポイント６とアクセスポイント５とで十分である（図２ｃを参照）。
【００３０】
図２ｂはピラミッド構造を採用した代替的な配置を示すが、ここではアクセスポイント５が部屋１の壁上に配置されており、リピータポイント６の１つが天井に配置されている。
【００３１】
図２ｄは拡張したカバーレッジのための複数のピラミッド構造を示す。例えば、広い部屋や、高い天井または大きくかつ変化に富んださまざまなシャドーを有する部屋で必要とされる。したがって、より広い寸法およびより複雑な屋内環境に対応するために、多数の近傍したネットワークピラミッドが用いられてもよい。例えば、複合ショッピングセンターや空港などである。各ピラミッドネットワークはパケットヘッダ内の固有のＩ．Ｄ．により識別可能である。別のネットワークからのパケットが識別されて、最も近いＡＰ５へ転送されてもよい。したがって、現在のネットワーク内のリピータ６により受信される、近傍ネットワーク内の端末からの漏洩信号は、本発明のネットワークのアクセスポイント５に転送可能であり、必要ならばそこから近傍するネットワークのアクセスポイントへ転送される。
【００３２】
ピラミッドはリピータ６がアクセスポイント５と同じ高さを持つよう配置されてもよい。
【００３３】
図３は簡潔にするためピラミッドネットワーク構造の一部を示す。この構造はアクセスポイント５と２つのリピータポイント６Ｎおよび６Ｓとを備える。移動端末３と各構成要素間のさまざまなＬＯＳワイヤレス経路も示されている。屋内環境にしたがって、移動端末３は、アクセスポイント５へのＬＯＳ信号経路Ｌ（３−５）だけでなく、リピータポイント６Ｎおよび６Ｓのそれぞれに対する信号経路を有していてもよく、それぞれＬ（３−６Ｎ）およびＬ（３−６Ｓ）である。さらに、リピータポイント６Ｎおよび６Ｓとアクセスポイント５との間の見通し内信号経路も存在し、それぞれＬ（６Ｎ−５）と６Ｎ（６Ｓ−５）である。このように、移動端末３にはアクセスポイント５に対する３つの補欠的な見通し方向ルートが与えられ、これらは直接信号リンクＬ（３−５）、リピータポイント６Ｎを経由するツインリンクＬ（３−６Ｎ）およびＬ（６Ｎ−５）、リピータ６Ｓを経由するツインリンクＬ（３−６Ｓ）およびＬ（６Ｓ−５）である。端末３とアクセスポイント５との間のこれらのリンクまたはルートの１つが移動体によってブロックされると、他のルートが代替として使用されるよう利用可能となる。さらに、Ｌ（６Ｎ−５）またはＬ（６Ｓ−５）がブロックされている場合、移動端末３は非直接経路を介してアクセスポイントに到達でき、レピータ６Ｎ，６Ｓ間のＬ（６Ｎ−６Ｓ）は２以上のリンク、経路Ｌ（３−６Ｎ），Ｌ（６Ｎ−６Ｓ）及びＬ（６Ｓ−５）又はまたはＬ（３−６Ｓ）、Ｌ（６Ｎ−６Ｓ）およびＬ（６Ｎ−５）をそれぞれ形成する。
【００３４】
ネットワーク２は、ネットワークワイヤレスポイント５および６のそれぞれが、移動端末３により送信された信号を受信するよう構成されている。リピータポイント６により受信されると、これらの受信信号はアクセスポイント５へ中継される。アクセスポイント５はその後、移動端末３からの信号を受信する最適ルートを選択するか、あるいはこれらの受信信号を合成して向上した合成受信信号を発生させる。アクセスポイント５は最適受信信号ルートの決定を利用して、アクセスポイント５からの送信信号を移動端末３へ送る。したがって、移動端末３により送信された信号が多数の信号ルートを通じてアクセスポイント５によって受信されるが、これらのルートの１つは移動端末３へ送り返すよう選択されてもよい。現在のルートが移動体によって突然ブロックされると、アクセスポイント５から移動端末３への送信ルートは急激に変化するかもしれない。１つの送信ルートの使用は、受信移動端末３での別の意図しない移動端末との相互チャネル干渉を避けるというさらなる利点を有する。１つ以上の送信ルートも利用できるが、これにより受信移動端末３においてより複雑さが増す。この場合、移動端末３はアンテナダイバーシティによる選択または合成処理を採用することができる。
【００３５】
図４を参照すると、ネットワーク２の装置の模式図が示されている。ネットワーク２は、アクセスポイント５と多数のリピータポイント６とを備え、これらは１つ以上の移動端末（図示せず）とワイヤレスに接続している。各リピータポイント（例えば６Ｓ）は、リピータポイント６Ｓと移動端末３との間、およびリピータポイント６Ｓとアクセスポイント５との間でそれぞれワイヤレスに連結するため、２つのアンテナ１０ＲＭ（Ｓ）および１０ＲＡ（Ｓ）を備えている。アンテナは好ましくは指向性アンテナであり、より好ましくは、ビーム幅を制御して近傍ネットワークポイント５および６との干渉を制限するために、回路を形成するアンテナアレイとビームとを備えている。アンテナアレイ１０ＲＡ（Ｓ）は狭ビームを生成するよう構成されている。この狭ビームはアクセスポイント５上の対応するアンテナアレイ２０ＡＲ（Ｓ）に向けられている。狭ビームは、これら２つのネットワーク５と６Ｓとの間のＬＯＳ信号経路の周辺に集中している。
【００３６】
リピータポイント６はリピータポイント６と移動端末３との間でワイヤレス信号を送受信するためのトランシーバ回路１１も備えている。リピータポイント６は、リピータポイント６が多数の移動端末３と通信できるようにするような多数のトランシーバ回路を備えていてもよい。この種の複数のトランシーバ回路がリピータポイント６Ｅについて示されている。各トランシーバ回路１１Ｅ（０）−１１Ｅ（Ｎ）は、移動端末３と通信するためにアンテナまたはアンテナアレイ１０ＲＡ（Ｅ）に連結している。これらのトランシーバは対応する補助的トランシーバ回路１２Ｅ（０）−１２Ｅ（Ｎ）に連結している。簡明にするために、１つの補助的なトランシーバ回路１２Ｅのみが他のリピータポイント６に対して示されている点に留意されたい。補助的なトランシーバ回路１２Ｅはアンテナアレイ１０ＲＡ（Ｅ）を通じてアクセスポイント５と通信し、リピータポイント６Ｅにより受信される移動端末３から任意の通信を中継する。
【００３７】
補助的なトランシーバ回路１２は単に、同一のチャネル周波数および／またはコードおよび／または時間スロットを使用して、移動端末からの信号を、アクセスポイント５と送受信してもよい。これにより、アンテナ配列１０ＲＡおよび２０ＡＲの指向特性を中継して、チャネル６と移動端末３との間で通信するために使用される同一チャネルとの干渉を回避する。代替的に補助的なトランシーバ回路１２がチャネルパラメータを変化させるよう構成されてもよい。このチャネルパラメータは、例えば、周波数、時間スロット、または、アクセスポイント５へ通信を転送する際にはこれらの組み合わせなどである。
【００３８】
特定の移動端末３（０）と各利用可能なリピータポイント（６Ｓと６Ｎとする）との間の通信が同一チャネルを利用している、すなわち各リピータポイント６Ｓおよび６Ｎが、適切ならば同一周波数、時間スロット、およびコードで移動端末３（０）からの信号を受信する点に留意されたい。この信号がどのように、関連する異なるリピータポイント６によってアクセスポイントへ中継されるかについてはシステム構成に左右されるが、最も簡潔な構成において前述したように、高度指向性アンテナ構成により与えられる空間チャネルに単に依拠していてもよい。
【００３９】
リピータポイント６はチャネル品質決定回路１３も備えている。これは、移動端末とアクセスポイントとの間の各リンク、すなわち、移動端末３とリピータポイント６との間のワイヤレスリンクに対して１つ以上のパラメータを決定する。このようなリンク品質は、受信信号強度およびよく知られているような干渉測定値とによって測定されてもよい。アクセスポイント５は、同様のチャネル品質決定回路２３を使用して各リピータポイント６とアクセスポイント５との間のリンク品質を測定する。リピータポイント６を含むリピータリンクまでの移動端末の測定値は、例えばこの測定値をパケットヘッダ内に埋め込む（embed）ことによって定期的にアクセスポイント５へ転送される。各合成リンクの合成測定値はアクセスポイント５によって決定することができる。代替的または追加的に、合成リンクの測定値が、例えば信号強度およびアクセスポイント５により受信された信号の干渉測定値を使用して、アクセスポイントでのみ作成される。これによりリピータポイント６を可能な限り単純かつ安価にとどめることができる。
【００４０】
好ましくは、リピータポイント６は受信信号を増幅して転送するための増幅器も備えている。
【００４１】
アクセスポイント５は、リピータポイント６Ｓ−６Ｅのそれぞれに対するアンテナ２０ＡＲ（Ｓ），２０ＡＲ（Ｗ），２０ＡＲ（Ｎ）および２０ＡＲ（Ｅ）を備えているだけでなく、移動端末３と直接通信するためのアンテナ２０ＭＡも備えている。各アンテナまたはアンテナ素子２０ＭＡ，２０ＡＲ（Ｓ），２０ＡＲ（Ｗ），２０ＡＲ（Ｎ）および２０ＡＲ（Ｅ）は、１つ以上の各トランシーバ回路２１に連結している。例えば、アンテナ２０ＭＡはトランシーバ回路２１Ａ（０），２１Ａ（１）…２１Ａ（Ｎ）に連結しており、それぞれは、移動端末３により利用可能な特定のチャネルに対応している。したがって、アクセスポイント５はＮ個の移動端末３と直接通信することができる。同様に、アンテナ２０ＡＲ（Ｅ）を参照すると、２０ＡＲ（Ｅ）は、指向性アンテナアラインメントによって、あるいはこの通信リンクの専用チャネルによって、リピータポイント６Ｅと通信するよう構成されている。アクセスポイント５において、このアンテナ２０ＡＲ（Ｅ）は１つ以上のトランシーバ回路２１Ｅ（０）−２１Ｅ（Ｎ）と連結し、これらはリピータポイント６Ｅ内の複数のトランシーバ回路１１Ｅ（０）−１１Ｅ（Ｎ）および１２Ｅ（０）−１２Ｅ（Ｎ）に対応している。さらに、リピータポイント６Ｅが通信可能な移動端末３（０）−３（Ｎ）の数に対応している。
【００４２】
単一の移動端末３（０）を検討すると、追加または選択機能２２はさまざまな利用可能な信号経路を介して移動端末３（０）から信号を受信する。すなわち、アンテナ２０ＭＡおよびトランシーバ２１Ａ（０）を通じて移動端末からアクセスポイントへ直接、および／または、例えばアンテナ１０ＲＭ（Ｅ）を通じた６Ｅ、トランシーバ回路１１Ｅ（０）、補助トランシーバ回路１２Ｅ（０）、アンテナ１０ＲＡ（Ｅ）、アクセスポイント５のアンテナ２０ＡＲ（Ｅ）へのワイヤレスリンク、追加または選択機能２２を通じたトランシーバ回路２１Ｅ（０）のような１つ以上のリピータポイントを通じて受信する。
【００４３】
追加または選択機能２２は受信信号を合成して合成受信信号Ｒｘを生成するか、あるいは代わりに、上述のようにリンク機能１３の品質により決定されたリピータポイント６により送信されたリンク表示の受信品質に基づいて最適受信信号経路またはルートを選択する。好ましくは、最大比合成が使用されるが、選択比合成は簡明さの利点を有する。アクセスポイント５は、アンテナ２０ＭＡ（これは２３として参照される）を通じて移動端末へ直接リンクするためのリンク機能１３と同様の品質も有する。選択機能２４は移動端末３とアクセスポイント５との間の信号のための最適ワイヤレスルートを決定する。選択機能は、送信切り換え機能２５へ、オプション的に選択モードの場合は追加または選択機能２２へこの情報を出力する。
【００４４】
送信切り換え機能２５は到来送信信号Ｔｘをアクセスポイントから移動端末へ直接、または示されているようにリピータポイント６Ｅの１つを通じて転送されるべき適切なトランシーバに切り換える。送信のためには１つのワイヤレスリンクルートしか使用されないので、アクセスポイントからのこの信号を受信する移動端末３に関連した相互チャネル干渉が低減される。
【００４５】
選択機能２４は、移動端末３へのさまざまなワイヤレスルートの品質量をリアルタイムで監視する。なぜなら、例えば現在の好ましいワイヤレスルートの視野方向に人が入り込むにつれこの測定値が非常に急激に変化しうるからである。この場合、代替ルートが即座に見つけられなければならない。ワイヤレスルートを変更する方法は図５に示される。
【００４６】
アクセスポイント５は、リピータポイント６から受信した、あるいはアクセスポイント５自身により決定された品質量にしたがって、送信出力電力をダイナミックに調整することができる。これは、互いに対してリピータポイント６およびアクセスポイント５の物理的位置の情報とともに使用され、あるリピータから別のリピータにより受信された信号の信号強度を制限することによって干渉を最小限にすることができる。電力制約システムのためには、システムが使用されるジュールエネルギ毎に送信できるビット数に注目することは有効である。ビット／ジュール比は以下の関係で計算される。
【００４７】
【数１】
2004254308.tif 000003
ここでＣは容量であり、Ｂは帯域幅であり、PAPおよびPrelayはそれぞれアクセスポイント５とリピータ６の送信された電力であり、ｕは単位エネルギー当たりの送信されたビットである。これを指針として、最小エネルギー量で送信される最大数のビットを得るようにアクセスポイント５とリピータポイント６にて送信電力を制御するよう適切なアルゴリズムが構築できる。
【００４８】
各リピータ６が好ましく増幅し転送する際のシステムの実容量は以下のように定義される。
【００４９】
【数２】
2004254308.tif 000004
ここでｓ、ｄ、およびｒはソース、目的地および中継局をそれぞれ示す。ＳＮＲは信号対雑音比である。アップリンクの場合、ソースは移動端末であり、目的地はアクセスポイント５である。ダウンリンクの場合はその逆である。１／２量は、単一ユーザのためのＴＤＤを仮定すると、中継されたルートを介して目的地に到達するために、送信された信号に必要な追加時間に対処する。
【００５０】
好ましくはＭＩＭＯチャネルがリピータと端末との間で確立される。
【００５１】
移動端末と通信するためにリピータ６により使用されるアンテナ１０ＲＭは、好ましくは約１２０度のビーム幅である。別の構成では、ｍｍＷ誘電体レンズアンテナが、他のリピータ６からの指向性ビームによる干渉を制限するよう使用される。レンズアンテナはそのカバーレッジを通して回路統一の対称電力パターンを提供し、安価かつ容易に製造することができる。
【００５２】
この構成の利点は、ワイヤレス端末３とリピータポイント６とアクセスポイント５との間のピコセル間でハンドオーバーを実行する必要がないという点にある。代わりに、送信信号Ｔｘが、リピータ６Ｓ、６Ｗ、６Ｎを通って、または直接アクセスポイント５から新しい最適ワイヤレスルートへ即座に再ルーティングされる。したがって、例えば動作の搬送周波数を変化させる必要はない。
【００５３】
最適ワイヤレスルートを選択するにはさまざまなアルゴリズムが可能であり、例えば、所定の最小信号強度が各リンク上で利用可能であるとすると、リピータに対する移動端末およびアクセスポイントワイヤレスリンクに対するリピータ上の受信信号強度の合計により単純に構成されてもよい。
【００５４】
実施形態は多数の利点を有し、これには屋内環境におけるワイヤレスネットワークの配置を簡単化することが含まれる一方、同時に所定の時間で高品質リンクのプロバビリティを大きく向上させる。
【００５５】
好ましくはＲＰ６が可能な限り単純であり、好ましくは電源が不要な受動回路を使用する。別の利点は形状因子であり、アンテナアレイを非常に小さくすることができる。
【００５６】
代替的に、ＲＰ６には信号リンク品質測定機能だけでなく、ＡＰ５へこれを通知するのに必要な機能が含まれる。さらに、ＲＰ６には、ＡＰ５により端末３に送信するために選択されない場合、スイッチオフ機能が含まれる。ＲＰ６を維持する利点は、おそらく近傍するピラミッドネットワークからの弱漏洩信号が中継できる点にある。
【００５７】
代替実施形態では、アクセスポイント５とリピータポイント６との間でケーブルリンクが提供される。好ましくは、ラジオオーバ（オプティカル）ファイバＲｏＦシステムがＲＦをオプティカルフロントエンドに組み込むために使用される。しかしながら、他のシステムが代替的に使用されてもよい。低損失高品質無酸素銅ケーブルを用いることもできる。これは、これらの構成要素間でより信頼性の高いリンクを提供し、端末からリピータワイヤレスリンクへの干渉を除去する。指向性アンテナの必要性とアライニングを回避する。
【００５８】
各ネットワークは、リピータ６およびアクセスポイント５の別の同様のネットワークに連結して、より大きなネットワークを形成してもよい。各ネットワーク（またはアクセスポイント５）は自身の固有のネットワークＩＤを持ち、これらのネットワーク間で移動する端末はハンドオーバーを必要とする。制御装置（示されていない）は既知の方法でハンドオーバーを制御する。
【００５９】
本発明の実施形態がここで説明された。当業者に自明な代替および変形がこの範囲内に組み込まれることを意図する。
【図面の簡単な説明】
【００６０】
【図１】図１は、部屋に対して配置されたネットワークが移動端末と通信している実施形態を示す。
【図２】図２は、本実施形態のさまざまな部分に対するさまざまな位置のレイアウトの配置を示す。
【図３】図３は、本実施形態のさまざまな部分に対するさまざまな位置のレイアウトの配置を示す。
【図４】図４は、本実施形態のさまざまな部分に対するさまざまな位置のレイアウトの配置を示す。
【図５】図５は、本実施形態のさまざまな部分についてさまざまな位置のレイアウトの配置を示す。
【図６】図６は、本実施形態内の信号経路を示す。
【図７】図７は、本実施形態の装置の模式図である。
【図８】図８は、選択方法のフローチャートである。
【図１】
2004254308.tif 000005
【図２】
2004254308.tif 000006
【図３】
2004254308.tif 000007
【図４】
2004254308.tif 000008
【図５】
2004254308.tif 000009
【図６】
2004254308.tif 000010
【図７】
2004254308.tif 000011
【図８】
2004254308.tif 000012
【外国語明細書】
2004254308000001.pdf